(57)【要約】      （修正有）【課題】色再現性が向上することに加えて、発色性が向上することにより、従来と比べて、吐出ノズルなどにおける目詰まりの発生を抑えたインクジェットインク組成物の提供。【解決手段】インクジェットインク組成物特殊構造のマゼンタ染料と、染料基本骨格が対称構造を持ち、かつ最大吸収波長を５００〜５６０ｎｍの範囲以外に持つ、イエロー染料、シアン染料のうちの１種以上と、を含む。【選択図】なし【特許請求の範囲】
【請求項１】
下記一般式（１−１）で表されるマゼンタ染料と、
染料基本骨格が対称構造を持ち、かつ最大吸収波長を５００ｎｍから５６０ｎｍまでの範囲以外に持つ、イエロー染料、シアン染料のうちの１種以上と、を含むインクジェットインク組成物。
【化１】
2019081852.tif 000021
（一般式（１−１）において、Ｒ1、Ｒ3、Ｒ4、Ｒ5、Ｒ6、Ｒ8、Ｒ9、Ｒ10、Ｒ11、Ｒ12、Ｒ13、Ｒ14、Ｒ15、Ｒ16、Ｒ17、Ｒ18、Ｒ19、およびＲ20は、それぞれ独立に水素原子または置換基であり、Ｒ101およびＲ102は、それぞれ独立に置換もしくは無置換のアルキル基、置換もしくは無置換のアリール基、置換もしくは無置換のヘテロ環基、置換もしくは無置換のアルキルスルホニル基、置換もしくは無置換のアリールスルホニル基、置換もしくは無置換のアルコキシカルボニル基、置換もしくは無置換のアリールオキシカルボニル基、カルバモイル基、置換もしくは無置換のモノアルキルアミノカルボニル基、置換もしくは無置換のジアルキルアミノカルボニル基、置換もしくは無置換のモノアリールアミノカルボニル基、置換もしくは無置換のジアリールアミノカルボニル基、または置換もしくは無置換のアルキルアリールアミノカルボニル基である。）
【請求項２】
前記一般式（１−１）で表されるマゼンタ染料の含有量が、インクジェットインク組成物の全質量に対して、０．１質量％以上、２．４質量％以下の範囲である、請求項１に記載のインクジェットインク組成物。
【請求項３】
前記イエロー染料として、下記一般式（２−１）、下記一般式（２−２）で表されるイエロー染料のうちの１種以上を含む、請求項１または請求項２に記載のインクジェットインク組成物。
【化２】
2019081852.tif 000022
（一般式（２−１）において、ＲY1、ＲY2、Ｙ1、およびＹ2は、１価の基であり、Ｘ1、Ｘ2は、それぞれ独立にハメットのδｐ値０．２０以上の電子吸引性基である。Ｚ1、Ｚ2はそれぞれ独立に、水素原子、置換または無置換のアルキル基、置換または無置換のアルケニル基、置換または無置換のアルキニル基、置換または無置換のアラルキル基、置換または無置換のアリール基、置換または無置換のヘテロ環基である。Ｍは、水素原子またはカチオンである。）
【化３】
2019081852.tif 000023
（一般式（２−２）において、Ｑはハロゲン原子である。Ｍは、水素原子、アルカリ金属、ＮＨ4である。ｘ１は２以上、４以下の整数であり、ｙ１は１以上、３以下の整数である。）
【請求項４】
前記イエロー染料に対する前記一般式（１−１）で表されるマゼンタ染料の質量比が、前記イエロー染料を１としたとき、１．２５以上、３．００以下である、請求項３に記載のインクジェットインク組成物。
【請求項５】
前記シアン染料として、下記一般式（３−１）、下記一般式（３−２）で表されるシアン染料のうちの１種以上を含む、請求項１または請求項２に記載のインクジェットインク組成物。
【化４】
2019081852.tif 000024
【化５】
2019081852.tif 000025
（一般式（３−２）において、破線で表される環Ａ1，Ａ2，Ａ3，Ａ4は、それぞれ独立にポルフィラジン環に縮環したベンゼン環または６員環の含窒素複素芳香環であり、含窒素複素芳香環の個数は、平均値で０．００を超えて３．００以下であり、残りはベンゼン環である。Ｒ1は、炭素数が２以上、１２以下のアルキレン基である。Ｘは、置換基として、スルホ基、カルボキシ基、リン酸基、スルファモイル基、カルバモイル基、ヒドロキシ基、炭素数が１以上、６以下のアルコキシ基、アミノ基、炭素数が１以上、４以下の、モノアルキルアミノ基またはジアルキルアミノ基、炭素数が６以上、１０以下の、モノアリールアミノ基またはジアリールアミノ基、炭素数が１以上、３以下のアルキルカルボニルアミノ基、ウレイド基、炭素数が１以上、６以下のアルキル基、ニトロ基、シアノ基、ハロゲン原子、炭素数が１以上、６以下の、アルキルスルホニル基またはアルキルチオ基よりなる群から選択される１種類または２種類以上の置換基を有してもよい、スルホアニリノ基、カルボキシアニリノ基、ホスホノアニリノ基、スルホナフチルアミノ基、カルボキシナフチルアミノ基またはホスホノナフチルアミノ基である。Ｒは、水素原子、スルホ基、カルボキシ基、リン酸基、スルファモイル基、カルバモイル基、ヒドロキシ基、炭素数が１以上、６以下のアルコキシ基、アミノ基、炭素数が１以上、６以下の、モノアルキルアミノ基またはジアルキルアミノ基、モノアリールアミノ基、ジアリールアミノ基、炭素数が１以上、３以下のアルキルカルボニルアミノ基、ウレイド基、炭素数が１以上、６以下のアルキル基、ニトロ基、シアノ基、ハロゲン原子、炭素数が１以上、６以下のアルキルスルホニル基、またはアルキルチオ基である。基Ｆは、フェニル基または６員含窒素複素芳香環基であり、ｘ２は、炭素数が１以上、６以下のアルキレン基であり、ｂは平均値で０．００以上、３．９０未満であり、ｃは平均値で０．１０以上、４．００未満であり、かつｂおよびｃの和は、平均値で１．００以上、４．００未満である。）
【請求項６】
前記シアン染料に対する前記一般式（１−１）で表されるマゼンタ染料の質量比が、前記シアン染料を１としたとき、１．００以上、１．５０以下である、請求項５に記載のインクジェットインク組成物。
【発明の詳細な説明】
【技術分野】
【０００１】
本発明は、インクジェットインク組成物に関する。
【背景技術】
【０００２】
インクジェット記録方法は、インクジェット記録装置の吐出ノズルからインクの液滴を吐出させ、紙などの記録媒体に付着させて印刷物を作製する印刷方法である。従来、シアン、マゼンタ、イエロー、ブラックの基本色のインクの他に、色再現性を確保するための、レッド、グリーン、ブルーなどのいわゆる二次色インクが知られていた。
【０００３】
例えば、特許文献１に記載のインクセットにおいては、二次色インクとしてレッドインクを加えることによる色再現性の向上が提案されている。
【先行技術文献】
【特許文献】
【０００４】
【特許文献１】特願２０１３−２２４６０３号公報
【発明の概要】
【発明が解決しようとする課題】
【０００５】
しかしながら、特許文献１に記載のレッドインクにおいては、色材としてアントラピリジン骨格を有するマゼンタ染料が使用されている。アントラピリジン骨格を持つマゼンタ染料は一般的に発色性が低くなる可能性がある。そのため、発色性を確保するためには、インク組成物中における染料の含有量（固形分濃度）を高くする必要があり、吐出ノズルにおいて、染料の乾燥などによる目詰まりが悪化しやすくなるという課題があった。
【０００６】
したがって本発明の目的は、色再現性が向上することに加えて、発色性が向上することにより、従来のインク組成物と比べて、吐出ノズルなどにおける目詰まりの発生を抑えた二次色のインク組成物を提供することにある。
【課題を解決するための手段】
【０００７】
本発明は、上述の課題の少なくとも一部を解決するためになされたものであり、以下の形態または適用例として実現することが可能である。
【０００８】
［適用例１］本適用例に係るインクジェットインク組成物は、下記一般式（１−１）で表されるマゼンタ染料と、染料基本骨格が対称構造を持ち、かつ最大吸収波長を５００ｎｍから５６０ｎｍまでの範囲以外に持つ、イエロー染料、シアン染料のうちの１種以上と、を含む。
【０００９】
【化１】
2019081852.tif 000002
（一般式（１−１）において、Ｒ1、Ｒ3、Ｒ4、Ｒ5、Ｒ6、Ｒ8、Ｒ9、Ｒ10、Ｒ11、Ｒ12、Ｒ13、Ｒ14、Ｒ15、Ｒ16、Ｒ17、Ｒ18、Ｒ19、およびＲ20は、それぞれ独立に水素原子または置換基であり、Ｒ101およびＲ102は、それぞれ独立に置換もしくは無置換のアルキル基、置換もしくは無置換のアリール基、置換もしくは無置換のヘテロ環基、置換もしくは無置換のアルキルスルホニル基、置換もしくは無置換のアリールスルホニル基、置換もしくは無置換のアルコキシカルボニル基、置換もしくは無置換のアリールオキシカルボニル基、カルバモイル基、置換もしくは無置換のモノアルキルアミノカルボニル基、置換もしくは無置換のジアルキルアミノカルボニル基、置換もしくは無置換のモノアリールアミノカルボニル基、置換もしくは無置換のジアリールアミノカルボニル基、または置換もしくは無置換のアルキルアリールアミノカルボニル基である。）
【００１０】
本発明者らは、上記課題を解決するために鋭意検討を重ねた結果、一般式（１−１）で表されるマゼンタ染料を用いることにより、上記課題を解決できることを見出して、本発明を完成させた。すなわち、上記マゼンタ染料と、染料基本骨格が対称構造を持ち、かつ最大吸収波長を５００ｎｍから５６０ｎｍまでの範囲以外に持つ、イエロー染料、シアン染料のうちの１種以上と、を含むことによって、従来よりも印刷物の色再現性および発色性が向上し、吐出ノズルでの目詰まりが発生しにくい二次色のインクジェットインク組成物を提供することが出来る。
【００１１】
［適用例２］上記適用例に記載のインクジェットインク組成物は、一般式（１−１）で表されるマゼンタ染料の含有量が、インクジェットインク組成物の全質量に対して、０．１質量％以上、２．４質量％以下の範囲であることが好ましい。
【００１２】
これによれば、一般式（１−１）で表されるマゼンタ染料の発色性が高いため、従来よりも低い含有量で発色性を確保でき、上記含有量が０．１質量％以上であることにより、発色性を向上させることができる。上記含有量が２．４質量％以下であることにより、発色性をより向上させることができ、さらに、目詰まりが発生しにくいインク組成物を提供することができる。
【００１３】
［適用例３］上記適用例に記載のインクジェットインク組成物は、イエロー染料として、一般式（２−１）、一般式（２−２）で表されるイエロー染料のうちの１種以上を含むことが好ましい。
【００１４】
【化２】
2019081852.tif 000003
（一般式（２−１）において、ＲY1、ＲY2、Ｙ1、およびＹ2は、１価の基であり、Ｘ1、Ｘ2は、それぞれ独立にハメットのδｐ値０．２０以上の電子吸引性基である。Ｚ1、Ｚ2はそれぞれ独立に、水素原子、置換または無置換のアルキル基、置換または無置換のアルケニル基、置換または無置換のアルキニル基、置換または無置換のアラルキル基、置換または無置換のアリール基、置換または無置換のヘテロ環基である。Ｍは、水素原子またはカチオンである。）
【００１５】
【化３】
2019081852.tif 000004
（一般式（２−２）において、Ｑはハロゲン原子である。Ｍは、水素原子、アルカリ金属、ＮＨ4である。ｘ１は２以上、４以下の整数であり、ｙ１は１以上、３以下の整数である。）
【００１６】
これによれば、上記イエロー染料は対称構造を持つ事から、一般式（１−１）で表されるマゼンタ染料と混合することにより、会合性を向上させることが出来る。そのため、耐オゾン性能の高いインク組成物を提供できる。また、イエロー領域の色域が拡大されて、色再現性を向上させることができる。
【００１７】
［適用例４］上記適用例に記載のインクジェットインク組成物は、イエロー染料に対する一般式（１−１）で表されるマゼンタ染料の質量比が、イエロー染料を１としたとき、１．２５以上、３．００以下であることが好ましい。
【００１８】
これによれば、一般式（１−１）で表されるマゼンタ染料の質量に対してイエロー染料の質量が１．２５倍以上であることにより、色再現性を向上させることが出来る。一般式（１−１）で表されるマゼンタ染料の質量に対してイエロー染料の質量が３．００倍以下であることにより、色再現性をより向上させることができ、さらに目詰まりを発生させにくいインクジェットインク組成物を提供することが出来る。
【００１９】
［適用例５］上記適用例に記載のインクジェットインク組成物は、シアン染料として、下記一般式（３−１）、下記一般式（３−２）で表されるシアン染料のうちの１種以上を含むことが好ましい。
【００２０】
【化４】
2019081852.tif 000005
【００２１】
【化５】
2019081852.tif 000006
（一般式（３−２）において、破線で表される環Ａ1，Ａ2，Ａ3，Ａ4は、それぞれ独立にポルフィラジン環に縮環したベンゼン環または６員環の含窒素複素芳香環であり、含窒素複素芳香環の個数は、平均値で０．００を超えて３．００以下であり、残りはベンゼン環である。Ｒ1は、炭素数が２以上、１２以下のアルキレン基である。Ｘは、置換基として、スルホ基、カルボキシ基、リン酸基、スルファモイル基、カルバモイル基、ヒドロキシ基、炭素数が１以上、６以下のアルコキシ基、アミノ基、炭素数が１以上、４以下の、モノアルキルアミノ基またはジアルキルアミノ基、炭素数が６以上、１０以下の、モノアリールアミノ基またはジアリールアミノ基、炭素数が１以上、３以下のアルキルカルボニルアミノ基、ウレイド基、炭素数が１以上、６以下のアルキル基、ニトロ基、シアノ基、ハロゲン原子、炭素数が１以上、６以下の、アルキルスルホニル基またはアルキルチオ基よりなる群から選択される１種類または２種類以上の置換基を有してもよい、スルホアニリノ基、カルボキシアニリノ基、ホスホノアニリノ基、スルホナフチルアミノ基、カルボキシナフチルアミノ基またはホスホノナフチルアミノ基である。Ｒは、水素原子、スルホ基、カルボキシ基、リン酸基、スルファモイル基、カルバモイル基、ヒドロキシ基、炭素数が１以上、６以下のアルコキシ基、アミノ基、炭素数が１以上、６以下の、モノアルキルアミノ基またはジアルキルアミノ基、モノアリールアミノ基、ジアリールアミノ基、炭素数が１以上、３以下のアルキルカルボニルアミノ基、ウレイド基、炭素数が１以上、６以下のアルキル基、ニトロ基、シアノ基、ハロゲン原子、炭素数が１以上、６以下のアルキルスルホニル基、またはアルキルチオ基である。基Ｆは、フェニル基または６員含窒素複素芳香環基であり、ｘ２は、炭素数が１以上、６以下のアルキレン基であり、ｂは平均値で０．００以上、３．９０未満であり、ｃは平均値で０．１０以上、４．００未満であり、かつｂおよびｃの和は、平均値で１．００以上、４．００未満である。）
【００２２】
これによれば、上記シアン染料は対称構造を持つ事から、一般式（１−１）で表されるマゼンタ染料と混合することにより、会合性を向上させることが出来る。そのため、印刷物の耐オゾン性を向上させることが出来る。また、シアン領域の色域が拡大されて、色再現性を向上させることができる。
【００２３】
［適用例６］上記適用例に記載のインクジェットインク組成物は、シアン染料に対する一般式（１−１）で表されるマゼンタ染料の質量比が、シアン染料を１としたとき、１．００以上、１．５０以下であることが好ましい。
【００２４】
これによれば、一般式（１−１）で表されるマゼンタ染料の質量に対してシアン染料の質量が１．００倍以上であることにより、色再現性を向上させることが出来る。一般式（１−１）で表されるマゼンタ染料の質量に対してシアン染料の質量が１．５０倍以下であることにより、色再現性をより向上させることができ、さらに目詰まりを発生させにくいインクジェットインク組成物を提供することが出来る。
【図面の簡単な説明】
【００２５】
【図１】インクジェット記録装置の一例を示す概略斜視図。
【発明を実施するための形態】
【００２６】
以下に本発明の好適な実施形態について説明する。以下に説明する実施形態は、本発明の一例を説明するものである。また、本発明は、以下の実施形態に限定されるものではなく、本発明の要旨を変更しない範囲において実施される各種の変形例も含む。
【００２７】
［インクジェットインク組成物］
インクジェットインク組成物は、インクジェット記録装置の吐出ノズルから液滴として吐出され、紙などの記録媒体に付着させて印刷物を作成するために用いられる。本実施形態では、水などを主な媒体として含む、水系のインクジェットインクを例に挙げて説明する。本実施形態に係るインクジェットインク組成物としての二次色インク（以降、単に「インク」ともいう。）は、色材としての染料の他、水、有機溶剤、界面活性剤などを含んでいる。以下、本実施形態のインクに含まれる上記の成分について説明する。
【００２８】
（染料）
本実施形態のインク組成物に含まれる染料のうち、一般式（１−１）で表されるマゼンタ染料における置換基を置換基群として定義し、具体例を挙げて説明する。
【００２９】
置換基群としては、ハロゲン原子、アルキル基、アラルキル基、アルケニル基、アルキニル基、アリール基、ヘテロ環基、シアノ基、ヒドロキシル基、ニトロ基、アルコキシ基、アリールオキシ基、シリルオキシ基、ヘテロ環オキシ基、アシルオキシ基、カルバモイルオキシ基、アルコキシカルボニルオキシ基、アリールオキシカルボニルオキシ基、アミノ基、アシルアミノ基、アミノカルボニルアミノ基、アルコキシカルボニルアミノ基、アリールオキシカルボニルアミノ基、スルファモイルアミノ基、アルキルまたはアリールスルホニルアミノ基、メルカプト基、アルキルチオ基、アリールチオ基、ヘテロ環チオ基、スルファモイル基、アルキルまたはアリールスルフィニル基、アルキルまたはアリールスルホニル基、アシル基、アリールオキシカルボニル基、アルコキシカルボニル基、カルバモイル基、アリールまたはヘテロ環アゾ基、イミド基、ホスフィノ基、ホスフィニル基、ホスフィニルオキシ基、ホスフィニルアミノ基、シリル基、イオン性親水性基が例として挙げられる。これらの置換基はさらに置換されてもよく、さらなる置換基としては、上記の置換基群から選択される基を挙げることができる。
【００３０】
イオン性親水性基としては、スルホ基、カルボキシル基、チオカルボキシル基、スルフィノ基、ホスホノ基、ジヒドロキシホスフィノ基、４級アンモニウム基などが挙げられる。特に好ましくはスルホ基、カルボキシル基である。またイオン性親水性基はカチオンまたはアニオンを含んでいてもよく、カチオンまたはアニオンを含む状態を塩の状態と呼ぶ。カルボキシル基、ホスホノ基およびスルホ基は塩の状態であってもよく、塩を形成する対カチオンの例には、アンモニウムイオン、アルカリ金属イオン（例えば、リチウムイオン、ナトリウムイオン、カリウムイオン）および有機カチオン（例えば、テトラメチルアンモニウムイオン、テトラメチルグアニジウムイオン、テトラメチルホスホニウム）が含まれ、リチウム塩、ナトリウム塩、カリウム塩、アンモニウム塩が好ましく、ナトリウム塩またはナトリウム塩を主成分とする混合塩がさらに好ましく、ナトリウム塩が最も好ましい。
【００３１】
なお、本実施形態において、化合物が塩である場合には、水系インク中で塩はイオンに解離して存在している。
【００３２】
次に、一般式（１−１）で表されるマゼンタ染料について説明する。インクは、一般式（１−１）で表されるマゼンタ染料（以降、マゼンタ染料（１−１）ということもある。）と、染料基本骨格が対称構造を持ち、かつ最大吸収波長を５００ｎｍから５６０ｎｍまでの範囲以外に持つ、イエロー染料、シアン染料のうちの１種以上と、を含む。
【００３３】
【化６】
2019081852.tif 000007
【００３４】
マゼンタ染料（１−１）は、特定の置換基を有するアミノ基を有する。作用機構は不明であるが、マゼンタ染料（１−１）がこのような構造を有することによって印刷物における、彩度、発色性、耐光性、耐オゾン性、耐湿性が向上する。
【００３５】
一般式（１−１）において、Ｒ1、Ｒ3、Ｒ4、Ｒ5、Ｒ6、Ｒ8、Ｒ9、Ｒ10、Ｒ11、Ｒ12、Ｒ13、Ｒ14、Ｒ15、Ｒ16、Ｒ17、Ｒ18、Ｒ19、およびＲ20は、それぞれ独立に水素原子または置換基である。Ｒ1、Ｒ3、Ｒ4、Ｒ5、Ｒ6、Ｒ8、Ｒ9、Ｒ10、Ｒ11、Ｒ12、Ｒ13、Ｒ14、Ｒ15、Ｒ16、Ｒ17、Ｒ18、Ｒ19、およびＲ20が置換基である場合、置換基としては、上記の置換基群から選ばれる置換基が挙げられる。
【００３６】
一般式（１−１）において、Ｒ1、Ｒ5、Ｒ6、およびＲ10は、原材料の入手および合成の容易さの観点から、それぞれ独立に水素原子、置換もしくは無置換のアルキル基、置換もしくは無置換のアリール基、置換もしくは無置換のアルコキシ基、置換もしくは無置換のアリールオキシ基、カルボキシル基、またはハロゲン原子を表すことが好ましく、より好ましくは置換もしくは無置換のアルキル基、置換もしくは無置換のアリール基、置換もしくは無置換のアルコキシ基であり、特に好ましくは置換もしくは無置換のアルキル基である。アルキル基としては、炭素数が１以上、６以下のアルキル基が好ましく、炭素数が１以上、３以下のアルキル基がより好ましく、メチル基がさらに好ましい。また、各基が置換基を有する場合の置換基としては、上記の置換基群から選ばれる置換基が挙げられる。
【００３７】
一般式（１−１）において、Ｒ4およびＲ9は、原材料の入手および合成の容易さ、印刷物の耐光性、耐オゾン性、発色性、彩度の観点から、それぞれ独立に水素原子、置換もしくは無置換のアルキル基、置換もしくは無置換のアリール基、置換もしくは無置換のアルコキシ基、置換もしくは無置換のアリールオキシ基、置換もしくは無置換のアミノ基、置換もしくは無置換のアシルアミノ基、置換もしくは無置換のアルコキシカルボニルアミノ基、置換もしくは無置換のアルキルスルホニルアミノ基、置換もしくは無置換のアリールスルホニルアミノ基、置換もしくは無置換のアルキルウレイド基、置換もしくは無置換のアリールウレイド基、スルホ基、カルボキシル基、またはハロゲン原子であることが好ましく、より好ましくは水素原子、置換もしくは無置換のアシルアミノ基、置換もしくは無置換のアルコキシカルボニルアミノ基、置換もしくは無置換のアルキルスルホニルアミノ基、置換もしくは無置換のアリールスルホニルアミノ基、置換もしくは無置換のアルキルウレイド基、置換もしくは無置換のアリールウレイド基、またはスルホ基であり、特に好ましくは水素原子またはスルホ基である。また、各基が置換基を有する場合の置換基としては上記の置換基群から選ばれる置換基が挙げられる。
【００３８】
一般式（１−１）において、Ｒ3およびＲ8は、原材料の入手および合成の容易さの観点から、それぞれ独立に水素原子、置換もしくは無置換のアルキル基、置換もしくは無置換のアリール基、置換もしくは無置換のアルコキシ基、置換もしくは無置換のアリールオキシ基、置換もしくは無置換のアミノ基、置換もしくは無置換のアシルアミノ基、置換もしくは無置換のアルコキシカルボニルアミノ基、置換もしくは無置換のアルキルスルホニルアミノ基、置換もしくは無置換のアリールスルホニルアミノ基、置換もしくは無置換のアルキルウレイド基、置換もしくは無置換のアリールウレイド基、スルホ基、カルボキシル基、またはハロゲン原子であることが好ましく、より好ましくは水素原子、置換もしくは無置換のアルキル基、またはスルホ基であり、特に好ましくは置換もしくは無置換のアルキル基である。アルキル基としては、炭素数が１以上、６以下のアルキル基が好ましく、炭素数が１以上、３以下のアルキル基がより好ましく、メチル基がさらに好ましい。また、各基が置換基を有する場合の置換基としては、上記の置換基群から選ばれる置換基が挙げられる。
【００３９】
一般式（１−１）において、Ｒ11、Ｒ14、Ｒ13、Ｒ16、Ｒ17、Ｒ18、Ｒ19およびＲ20は、原材料の入手および合成の容易さの観点から、それぞれ独立に水素原子、置換もしくは無置換のアルキル基、置換もしくは無置換のアリール基、置換もしくは無置換のアルコキシ基、置換もしくは無置換のアリールオキシ基、ヒドロキシ基、ハロゲン原子、またはスルホ基であることが好ましく、より好ましくは水素原子、ヒドロキシ基、ハロゲン原子、またはスルホ基であり、特に好ましくは水素原子である。また、各基が置換基を有する場合の置換基としては、上記の置換基群から選ばれる置換基が挙げられる。
【００４０】
一般式（１−１）において、Ｒ12およびＲ15は、原材料の入手および合成の容易さの観点から、それぞれ独立に水素原子、置換もしくは無置換のアルキル基、置換もしくは無置換のアリール基、ハロゲン原子、またはスルホ基が好ましく、より好ましくは水素原子またはスルホ基である。また各基が置換基を有する場合の置換基としては、上記の置換基群から選ばれる置換基が挙げられる。
【００４１】
また、水への溶解性の観点から、一般式（１−１）において、Ｒ1、Ｒ3、Ｒ4、Ｒ5、Ｒ6、Ｒ8、Ｒ9、Ｒ10、Ｒ11、Ｒ12、Ｒ13、Ｒ14、Ｒ15、Ｒ16、Ｒ17、Ｒ18、Ｒ19、およびＲ20の少なくとも１つは、カルボキシル基、スルホ基、またはホスホノ基などのイオン性親水性基を有することが好ましい。これらのイオン性親水性基の対カチオンとしては、水素原子（プロトン）、アルカリ金属カチオン（リチウムイオン、ナトリウムイオン、またはカリウムイオン）、アンモニウムイオンなどが挙げられる。これらの中でも、合成の容易性（染料粉末としての取り扱いの容易さ）の観点から、アルカリ金属カチオンであることが好ましい。
【００４２】
一般式（１−１）において、Ｒ101およびＲ102はそれぞれ独立に置換もしくは無置換のアルキル基、置換もしくは無置換のアリール基、置換もしくは無置換のヘテロ環基、置換もしくは無置換のアルキルスルホニル基、置換もしくは無置換のアリールスルホニル基、置換もしくは無置換のアルコキシカルボニル基、置換もしくは無置換のアリールオキシカルボニル基、カルバモイル基、置換もしくは無置換のモノアルキルアミノカルボニル基、置換もしくは無置換のジアルキルアミノカルボニル基、置換もしくは無置換のモノアリールアミノカルボニル基、置換もしくは無置換のジアリールアミノカルボニル基、または置換もしくは無置換のアルキルアリールアミノカルボニル基である。
【００４３】
Ｒ101およびＲ102が置換もしくは無置換のアルキル基である場合のアルキル基としては、炭素数が１以上、６以下のアルキル基が好ましく、炭素数が１以上、３以下のアルキル基がより好ましく、メチル基またはエチル基がさらに好ましい。また、アルキル基が置換基を有する場合の置換基としては上記の置換基群から選ばれる置換基が挙げられ、アリール基が好ましく、フェニル基が特に好ましい。
【００４４】
Ｒ101およびＲ102が置換もしくは無置換のアリール基である場合のアリール基としては、炭素数が６以上、１４以下のアリール基が好ましく、炭素数が６以上、１０以下のアリール基がより好ましく、フェニル基がさらに好ましい。また、アリール基が置換基を有する場合の置換基としては上記の置換基群から選ばれる置換基が挙げられる。
【００４５】
Ｒ101およびＲ102が置換もしくは無置換のヘテロ環基である場合のヘテロ環基としてはトリアジン基、チアゾリル基、ベンゾチアゾリル基、またはチアジアゾリル基が好ましい。また、ヘテロ環基が置換基を有する場合の置換基としては上記の置換基群から選ばれる置換基が挙げられ、置換もしくは無置換のアミノ基、置換もしくは無置換のスルファモイル基が好ましい。
【００４６】
Ｒ101およびＲ102が置換もしくは無置換のアルキルスルホニル基である場合のアルキルスルホニル基としては、炭素数が１以上、６以下のアルキルスルホニル基が好ましく、炭素数が１以上、３以下のアルキルスルホニル基がより好ましく、メチルスルホニル基がさらに好ましい。また、アルキルスルホニル基が置換基を有する場合の置換基としては上記の置換基群から選ばれる置換基が挙げられる。
【００４７】
Ｒ101およびＲ102が置換もしくは無置換のアリールスルホニル基である場合のアリールスルホニル基としては、炭素数が６以上、１４以下のアリールスルホニル基が好ましく、炭素数が６以上、１０以下のアリールスルホニル基がより好ましく、フェニルスルホニル基がさらに好ましい。また、アリールスルホニル基が置換基を有する場合の置換基としては上記の置換基群から選ばれる置換基が挙げられ、カルボキシル基が特に好ましい。
【００４８】
Ｒ101およびＲ102が置換もしくは無置換のアルコキシカルボニル基である場合のアルコキシカルボニル基としては、−ＣＯＯＲ201で表されることが好ましい。ここでＲ201は炭素数が１以上、６以下のアルキル基であり、炭素数が１以上、４以下のアルキル基が好ましく、イソプロピル基がより好ましい。また、アルコキシカルボニル基が置換基を有する場合の置換基としては上記の置換基群から選ばれる置換基が挙げられる。
【００４９】
Ｒ101およびＲ102が置換もしくは無置換のアリールオキシカルボニル基である場合のアリールオキシカルボニル基としては、−ＣＯＯＲ202で表されることが好ましい。ここでＲ202は炭素数が６以上、１４以下のアリール基であり、炭素数が６以上、１０以下のアリール基が好ましく、フェニル基がより好ましい。また、アリールオキシカルボニル基が置換基を有する場合の置換基としては上記の置換基群から選ばれる置換基が挙げられ、ニトロ基が特に好ましい。
【００５０】
Ｒ101およびＲ102が置換もしくは無置換のモノアルキルアミノカルボニル基である場合のモノアルキルアミノカルボニル基としては、−ＣＯＮＨＲ203で表されることが好ましい。ここでＲ203は炭素数が１以上、１２以下のアルキル基であり、炭素数が１以上、１０以下のアルキル基が好ましく、炭素数が１以上、６以下のアルキル基がより好ましく、メチル基、エチル基、イソプロピル基、ヘキシル基、２−エチルヘキシル基、ドデシル基、シクロヘキシル基がさらに好ましく、イソプロピル基が特に好ましい。また、モノアルキルアミノカルボニル基が置換基を有する場合の置換基としては上記の置換基群から選ばれる置換基が挙げられ、フェニル基、カルボキシル基、置換もしくは無置換のアミノ基、ヒドロキシル基が特に好ましい。
【００５１】
Ｒ101およびＲ102が置換もしくは無置換のジアルキルアミノカルボニル基である場合のジアルキルアミノカルボニル基としては、−ＣＯＮＲ204Ｒ205で表されることが好ましい。ここでＲ204およびＲ205はそれぞれ独立に炭素数が１以上、１０以下のアルキル基であり、炭素数が１以上、６以下のアルキル基が好ましく、メチル基、イソプロピル基がより好ましい。また、ジアルキルアミノカルボニル基が置換基を有する場合の置換基としては上記の置換基群から選ばれる置換基が挙げられ、カルボキシル基、アルキルオキシカルボニル基（好ましくは炭素数が２以上、６以下のアルキルオキシカルボニル基であり、より好ましくはエチルオキシカルボニル基）が特に好ましい。
【００５２】
Ｒ101およびＲ102が置換もしくは無置換のモノアリールアミノカルボニル基である場合のモノアリールアミノカルボニル基としては、−ＣＯＮＨＲ206で表されることが好ましい。ここでＲ206は炭素数が６以上、１４以下のアリール基であり、炭素数が６以上、１２以下のアリール基が好ましく、炭素数が６以上、１０以下のアリール基がより好ましい。具体的には、フェニル基、ビフェニル基、ナフチル基が好ましく、フェニル基がより好ましい。また、モノアリールアミノカルボニル基が置換基を有する場合の置換基としては上記の置換基群から選ばれる置換基が挙げられ、カルボキシル基、ヒドロキシル基、ホスホノ基、アルコキシ基（好ましくは炭素数が１以上、６以下のアルコキシ基であり、より好ましくはシクロヘキシルオキシ基）が特に好ましい。
【００５３】
Ｒ101およびＲ102が置換もしくは無置換のジアリールアミノカルボニル基である場合のジアリールアミノカルボニル基としては、−ＣＯＮＲ207Ｒ208で表されることが好ましい。ここでＲ207およびＲ208はそれぞれ独立に炭素数が６以上、１４以下のアリール基であり、炭素数が６以上、１０以下のアリール基が好ましく、フェニル基がより好ましい。また、ジアリールアミノカルボニル基が置換基を有する場合の置換基としては上記の置換基群から選ばれる置換基が挙げられる。
【００５４】
Ｒ101およびＲ102は、印刷物の彩度、耐光性、耐オゾン性の観点から、好ましくは置換もしくは無置換のアルキルスルホニル基、置換もしくは無置換のアリールスルホニル基、置換もしくは無置換のアルコキシカルボニル基、置換もしくは無置換のアリールオキシカルボニル基、カルバモイル基、置換もしくは無置換のモノアルキルアミノカルボニル基、置換もしくは無置換のジアルキルアミノカルボニル基、置換もしくは無置換のモノアリールアミノカルボニル基、または置換もしくは無置換のジアリールアミノカルボニル基であり、より好ましくは置換もしくは無置換のアルキルスルホニル基、置換もしくは無置換のアリールスルホニル基、置換もしくは無置換のモノアルキルアミノカルボニル基、置換もしくは無置換のジアルキルアミノカルボニル基、置換もしくは無置換のモノアリールアミノカルボニル基、または置換もしくは無置換のジアリールアミノカルボニル基であり、特に好ましくは置換もしくは無置換のモノアルキルアミノカルボニル基、置換もしくは無置換のジアルキルアミノカルボニル基、置換もしくは無置換のモノアリールアミノカルボニル基、または置換もしくは無置換のジアリールアミノカルボニル基である。
【００５５】
二次色インクにマゼンタ染料（１−１）を用いることにより、従来よりも少ない含有量で、すなわち低固形分量でも印刷物の発色性を確保することができ、吐出ノズルにおける目詰まりが発生しにくくなる。
【００５６】
二次色インクに含まれるマゼンタ染料（１−１）の含有量は、上述したように、インク全質量に対して、０．１質量％以上、２．４質量％以下である。好ましくは、１．０質量％以上、２．０質量％以下である。マゼンタ染料（１−１）の含有量を上記範囲とすることにより、発色性を確保すると共に、インク粘度の増大、および吐出ノズルなどにおけるインクの乾燥を抑えることができる。
【００５７】
二次色インクに使用する、染料基本骨格が対称構造を持ち、かつ最大吸収波長を５００ｎｍから５６０ｎｍまでの範囲以外に持つイエロー染料としては、例えば、一般式（２−１）、一般式（２−２）で表される化合物などが挙げられ、これらのうちの１種以上を用いる。また、イエロー染料は、本発明の目的を達成できる限りにおいて、上記以外の、基本骨格が対称構造を持っているイエロー染料を含んでもよい。
【００５８】
【化７】
2019081852.tif 000008
（一般式（２−１）において、ＲY1、ＲY2、Ｙ1、およびＹ2は、１価の基であり、Ｘ1、Ｘ2は、それぞれ独立にハメットのδｐ値０．２０以上の電子吸引性基である。Ｚ1、Ｚ2はそれぞれ独立に、水素原子、置換または無置換のアルキル基、置換または無置換のアルケニル基、置換または無置換のアルキニル基、置換または無置換のアラルキル基、置換または無置換のアリール基、置換または無置換のヘテロ環基である。Ｍは、水素原子またはカチオンである。）
【００５９】
【化８】
2019081852.tif 000009
（一般式（２−２）において、Ｑはハロゲン原子である。Ｍは、水素原子、アルカリ金属、ＮＨ4である。ｘ１は２以上、４以下の整数であり、ｙ１は１以上、３以下の整数である。）
【００６０】
このようなイエロー染料としては、具体的には、例えば、Ｃ．Ｉ．（Color Index Generic Name）ダイレクトイエロー８６、１３２、１７３、Ｃ．Ｉ．アシッドイエロー３８、４２、５６、８７、Ｃ．Ｉ．リアクティブイエロー８４、２０８、ＨＥＸＬなどが挙げられる。
【００６１】
イエロー染料に対するマゼンタ染料（１−１）の質量比が、イエロー染料を１としたとき、１．２５以上、３．００以下であることが好ましい。これによれば、マゼンタ染料（１−１）の質量に対してイエロー染料の質量が１．２５倍以上であることにより、色再現性を向上させることが出来る。マゼンタ染料（１−１）の質量に対してイエロー染料の質量が３．００倍以下であることにより、色再現性をより向上させることができ、さらに目詰まりを発生させにくい二次色インクを提供することが出来る。
【００６２】
二次色インクに使用する、染料基本骨格が対称構造を持ち、かつ最大吸収波長を５００ｎｍから５６０ｎｍまでの範囲以外に持つシアン染料としては、一般式（３−１）、一般式（３−２）で表される化合物などが挙げられ、これらのうちの１種以上を用いる。また、シアン染料は、本発明の目的を達成できる限りにおいて、上記以外の、基本骨格が対称構造を持っているシアン染料を含んでもよい。
【００６３】
【化９】
2019081852.tif 000010
【００６４】
【化１０】
2019081852.tif 000011
（一般式（３−２）において、破線で表される環Ａ1，Ａ2，Ａ3，Ａ4は、それぞれ独立にポルフィラジン環に縮環したベンゼン環または６員環の含窒素複素芳香環であり、含窒素複素芳香環の個数は、平均値で０．００を超えて３．００以下であり、残りはベンゼン環である。Ｒ1は、炭素数が２以上、１２以下のアルキレン基である。Ｘは、置換基として、スルホ基、カルボキシ基、リン酸基、スルファモイル基、カルバモイル基、ヒドロキシ基、炭素数が１以上、６以下のアルコキシ基、アミノ基、炭素数が１以上、４以下の、モノアルキルアミノ基またはジアルキルアミノ基、炭素数が６以上、１０以下の、モノアリールアミノ基またはジアリールアミノ基、炭素数が１以上、３以下のアルキルカルボニルアミノ基、ウレイド基、炭素数が１以上、６以下のアルキル基、ニトロ基、シアノ基、ハロゲン原子、炭素数が１以上、６以下の、アルキルスルホニル基またはアルキルチオ基よりなる群から選択される１種類または２種類以上の置換基を有してもよい、スルホアニリノ基、カルボキシアニリノ基、ホスホノアニリノ基、スルホナフチルアミノ基、カルボキシナフチルアミノ基またはホスホノナフチルアミノ基である。Ｒは、水素原子、スルホ基、カルボキシ基、リン酸基、スルファモイル基、カルバモイル基、ヒドロキシ基、炭素数が１以上、６以下のアルコキシ基、アミノ基、炭素数が１以上、６以下の、モノアルキルアミノ基またはジアルキルアミノ基、モノアリールアミノ基、ジアリールアミノ基、炭素数が１以上、３以下のアルキルカルボニルアミノ基、ウレイド基、炭素数が１以上、６以下のアルキル基、ニトロ基、シアノ基、ハロゲン原子、炭素数が１以上、６以下のアルキルスルホニル基、またはアルキルチオ基である。基Ｆは、フェニル基または６員含窒素複素芳香環基であり、ｘ２は、炭素数が１以上、６以下のアルキレン基であり、ｂは平均値で０．００以上、３．９０未満であり、ｃは平均値で０．１０以上、４．００未満であり、かつｂおよびｃの和は、平均値で１．００以上、４．００未満である。）
【００６５】
このようなシアン染料としては、具体的には、例えば、Ｃ．Ｉ．ダイレクトブルー１０、１２、１５、１０６、１５１、１５２、１５８、１６２、１６４、１６６、１６７，１９０、１９９、２３１、Ｃ．Ｉ．リアクティブブルー１７１、２０４、Ｃ．Ｉ．アシッドブルー１０４などが挙げられる。
【００６６】
シアン染料に対するマゼンタ染料（１−１）の質量比が、シアン染料を１としたとき、１．００以上、１．５０以下であることが好ましい。これによれば、マゼンタ染料（１−１）の質量に対してシアン染料の質量が１．００倍以上であることにより、色再現性を向上させることが出来る。マゼンタ染料（１−１）の質量に対してシアン染料の質量が１．５０倍以下であることにより、色再現性をより向上させることができ、さらに目詰まりを発生させにくい二次色インクを提供することが出来る。
【００６７】
本実施形態において、マゼンタ染料（１−１）と混合して二次色インクとするために使用する染料は、上記の限りではない。染料の基本骨格が対称構造を持ち、かつ最大吸収波長を５００ｎｍから５６０ｎｍまでの範囲以外に持つものであれば、上記以外の染料を使用してもよい。
【００６８】
そのような染料としては、具体的には、例えば、Ｃ．Ｉ．ダイレクトブラウン１０６、１８４、Ｃ．Ｉ．アシッドブラウン１３、Ｃ．Ｉ．ダイレクトブラック１９、２９、１２２、Ｃ．Ｉ．アシッドブラック４１、Ｃ．Ｉ．リアクティブレッド１２０，１４１、などが挙げられる。
【００６９】
二次色インクに対して、ブラックインク、シアンインク、マゼンタインク、イエローインクの基本色インクを組み合わせて、インクセットとして用いてもよい。インクセットとしては、上述した二次色インクの１種以上と、基本色インクの１種以上とを組み合わせてもよい。基本色インクには、公知の色材を用いることが可能である。公知の色材としては、染料または顔料が挙げられる。また、基本色インクに含まれる色材以外の成分は、以下に述べる二次色インクに用いる成分などが採用可能である。
【００７０】
（水）
水は、インクの主な媒体（溶媒）である。インクが記録媒体に付着されて印刷が施されると、水は記録媒体から乾燥によって蒸発飛散する。水としては、例えば、イオン交換水、限外濾過水、逆浸透水、蒸留水などの純水、ならびに超純水のようなイオン性不純物を極力除去したものを用いることができる。また、紫外線照射や過酸化水素の添加などによって滅菌した水を使用すると、インクを長期間保存する場合に、カビやバクテリアの発生を抑制することができる。インクに含まれる水の含有量は、特に限定されないが、インクの全質量に対して、例えば、４５質量％以上、好ましくは５０質量％以上９５質量％以下、さらには５５質量％以上９０質量％以下とすることが好ましい。
【００７１】
（有機溶剤）
インクには、有機溶剤を添加してもよい。有機溶剤を添加することにより、粘度、表面張力などのインクの物性や、記録媒体に付着させた際の乾燥、浸透などの挙動を制御することができる。有機溶剤としては、例えば、２−ピロリドン類、１，２−アルカンジオール類、多価アルコール類、グリコールエーテル類などが挙げられる。これらは、１種単独または２種以上を用いることが可能である。
【００７２】
２−ピロリドン類とは、２―ピロリドン骨格を有する化合物のことをいう。２−ピロリドン類としては、例えば、置換基を有していない２−ピロリドンの他に、Ｎ−メチル−２−ピロリドン、Ｎ−エチル−２−ピロリドン、Ｎ−ビニル−２−ピロリドンなどの置換基を有する化合物が用いられる。２―ピロリドン骨格における置換基は、炭素数が１以上、５以下の、飽和または不飽和の炭化水素基などの有機基が好ましい。これらの中でも、インクの保存安定性および凝集物の発生を抑制する効果に優れている、２−ピロリドンを用いることがより好ましい。
【００７３】
２−ピロリドン類を添加する場合の含有量は、インクの全質量に対して、０．９質量％以上、８．１質量％以下であることが好ましい。より好ましくは、１．０質量％以上、８．０質量％以下である。２−ピロリドン類の含有量を上記の範囲内とすることにより、インクの粘度の増加を抑えて、インクの吐出安定性を向上させることができる。
【００７４】
１，２−アルカンジオール類としては、例えば、１，２−プロパンジオール、１，２−ブタンジオール、１，２−ペンタンジオール、１，２−ヘキサンジオール、１，２−オクタンジオールなどが挙げられる。１，２−アルカンジオール類は、記録媒体に対するインクの濡れ性を高めて、均一に濡らす作用に優れている。そのため、滲みを抑えた印刷物を作製することができる。１，２−アルカンジオール類を添加する場合の含有量は、インクの全質量に対して、１質量％以上、２０質量％以下であることが好ましい。
【００７５】
多価アルコール類としては、例えば、エチレングリコール、ジエチレングリコール、トリエチレングリコール、プロピレングリコール、ジプロピレングリコール、１，３−プロパンジオール、１，３−ブタンジオール、１，３−ペンタンジオール、１，４−ブタンジオール、１，５−ペンタンジオール、１，６−ヘキサンジオール、２，３−ブタンジオール、３−メチル−１，３−ブタンジオール、３−メチル−１，５−ペンタンジオール、２−メチル−１，３−プロパンジオール、２，２−ジメチル−１，３−プロパンジオール、２−メチル−２，４−ペンタンジオール、グリセリンなどが挙げられる。多価アルコール類をインクに添加することよって、インクジェットヘッドの吐出ノズル内におけるインクの乾燥固化を抑制して、吐出ノズルの目詰まりや吐出不良などを低減することができる。多価アルコール類を添加する場合の含有量は、インクの全質量に対して、２質量％以上、２０質量％以下であることが好ましい。なお、２０℃では固体の多価アルコール類も、有機溶剤の多価アルコール類と同様な作用を有しており、同様に用いてもよい。２０℃で固体の多価アルコール類としては、例えば、トリメチロールプロパンなどが挙げられる。
【００７６】
グリコールエーテル類としては、例えば、アルキレングリコールモノエーテルやアルキレングリコールジエーテルなどが挙げられる。
【００７７】
アルキレングリコールモノエーテルとしては、例えば、エチレングリコールモノメチルエーテル、エチレングリコールモノエチルエーテル、エチレングリコールモノイソプロピルエーテル、エチレングリコールモノブチルエーテル、エチレングリコールモノヘキシルエーテル、エチレングリコールモノフェニルエーテル、ジエチレングリコールモノメチルエーテル、ジエチレングリコールモノエチルエーテル、ジエチレングリコールモノブチルエーテル、ジエチレングリコールモノヘキシルエーテル、トリエチレングリコールモノメチルエーテル、トリエチレングリコールモノエチルエーテル、トリエチレングリコールモノブチルエーテル、テトラエチレングリコールモノメチルエーテル、テトラエチレングリコールモノエチルエーテル、プロピレングリコールモノメチルエーテル、プロピレングリコールモノエチルエーテル、ジプロピレングリコールモノメチルエーテル、ジプロピレングリコールモノエチルエーテルなどが挙げられる。
【００７８】
アルキレングリコールジエーテルとしては、例えば、エチレングリコールジメチルエーテル、エチレングリコールジエチルエーテル、エチレングリコールジブチルエーテル、ジエチレングリコールジメチルエーテル、ジエチレングリコールジエチルエーテル、ジエチレングリコールメチルエチルエーテル、ジエチレングリコールジブチルエーテル、ジエチレングリコールブチルメチルエーテル、トリエチレングリコールジメチルエーテル、トリエチレングリコールジエチルエーテル、トリエチレングリコールジブチルエーテル、トリエチレングリコールブチルメチルエーテル、テトラエチレングリコールジメチルエーテル、テトラエチレングリコールジエチルエーテル、テトラエチレングリコールジブチルエーテル、プロピレングリコールジメチルエーテル、プロピレングリコールジエチルエーテル、ジプロピレングリコールジメチルエーテル、ジプロピレングリコールジエチルエーテルなどが挙げられる。
【００７９】
グリコールエーテル類をインクに添加することよって、記録媒体に対する濡れ性や浸透速度を調整できるため、画像や模様などを鮮明に形成することができる。グリコールエーテル類を添加する場合の含有量は、インクの全質量に対して、０．０５質量％以上、６質量％以下であることが好ましい。
【００８０】
上述した有機溶剤は、複数種を混合して用いてもよい。その場合、インクにおける有機溶剤の合計の含有量は、インクの全質量に対し、０．２質量％以上、３０．０質量％以下であり、好ましくは、０．４質量％以上、２０．０質量％以下であり、より好ましくは、０．５質量％以上、１５．０質量％以下である。有機溶剤の合計の含有量を上記の範囲とすることにより、インクの粘度の増大の抑制、記録媒体に付着させた際の挙動（浸透および濡れ広がり）の調節、印刷時の吐出安定性の向上などが可能となる。
【００８１】
（界面活性剤）
インクには、界面活性剤を添加してもよい。界面活性剤は、インクの表面張力を低下させて、記録媒体に対する浸透性を高める機能を有している。界面活性剤としては、ノニオン系界面活性剤、アニオン系界面活性剤、カチオン系界面活性剤、両性界面活性剤が挙げられ、これらのうちの少なくとも１種が採用可能である。
【００８２】
インクに界面活性剤を添加する場合の含有量は、インクの全質量に対し、０．０１質量％以上、３．００質量％以下である。好ましくは、０．０５質量％以上、２．００質量％以下であり、より好ましくは０．１０質量％以上、１．００質量％以下であり、さらにより好ましくは、０．２０質量％以上、０．５０質量％以下である。界面活性剤の含有量を上記範囲とすることによって、起泡を抑えて印刷時の吐出安定性を確保すると共に、記録媒体に付着した際のインクの濡れ広がり（濡れ性）を向上させることができる。
【００８３】
ノニオン系界面活性剤としては、アセチレングリコール系界面活性剤、フッ素系界面活性剤、シリコーン系界面活性剤などを用いることができる。これらの界面活性剤を用いることにより、比較的に少量の含有量で、記録媒体に対する濡れ性を向上させることができる。
【００８４】
アセチレングリコール系界面活性剤としては、特に限定されないが、例えば、２，４，７，９−テトラメチル−５−デシン−４，７−ジオール、２，４，７，９−テトラメチル−５−デシン−４，７−ジオールのアルキレンオキシド付加物、２，４−ジメチル−５−デシン−４−オール、２，４−ジメチル−５−デシン−４−オールのアルキレンオキシド付加物、３，６−ジメチル−４−オクチン−３，６−ジオール、３，５−ジメチル−１−ヘキシン−３オール、２，４−ジメチル−５−ヘキシン−３−オールなどのアルキレンオキシド付加物が挙げられる。
【００８５】
このようなアセチレングリコール系界面活性剤としては、市販品を用いてもよい。例えば、サーフィノール（登録商標）１０４、１０４Ｅ、１０４Ｈ、１０４Ａ、１０４ＢＣ、１０４ＤＰＭ、１０４ＰＡ、１０４ＰＧ−５０、１０４Ｓ、４２０、４４０、４６５、４８５、ＳＥ、ＳＥ−Ｆ、５０４、６１、ＤＦ３７、ＣＴ１１１、ＣＴ１２１、ＣＴ１３１、ＣＴ１３６、ＴＧ、ＧＡ、ＤＦ１１０Ｄ（以上商品名、Air Products and Chemicals, Inc.社）、オルフィン（登録商標）Ｂ、Ｙ、Ｐ、Ａ、ＳＴＧ、ＳＰＣ、Ｅ１００４、Ｅ１０１０、ＰＤ−００１、ＰＤ−００２Ｗ、ＰＤ−００３、ＰＤ−００４、ＥＸＰ．４００１、ＥＸＰ．４０３６、ＥＸＰ．４０５１、ＡＦ−１０３、ＡＦ−１０４、ＡＫ−０２、ＳＫ−１４、ＡＥ−３（以上商品名、日信化学工業社）、アセチレノール（登録商標）Ｅ００、Ｅ００Ｐ、Ｅ４０、Ｅ１００（以上商品名、川研ファインケミカル社）などが挙げられる。
【００８６】
フッ素系界面活性剤としては、市販品が採用可能であり、例えば、メガファック（登録商標）Ｆ−４７９（商品名、ＤＩＣ社）、ＢＹＫ−３４０（商品名、ＢＹＫ社）などが挙げられる。
【００８７】
シリコーン系界面活性剤としては、特に限定されないが、ポリシロキサン系化合物が採用可能である。ポリシロキサン化合物としては、特に限定されないが、例えば、ポリエーテル変性オルガノシロキサンが挙げられる。ポリエーテル変性オルガノシロキサンの市販品としては、例えば、ＢＹＫ−３０２、３０６、３０７、３３３、３４１、３４５、３４６、３４７、３４８（以上商品名、ＢＹＫ社）、ＫＦ−３５１Ａ、３５２Ａ、３５３、３５４Ｌ、３５５Ａ、６１５Ａ、９４５、６４０、６４２、６４３、６０２０、６０１１、６０１２、６０１５、６０１７、Ｘ−２２−４５１５（以上商品名、信越化学工業社）などが挙げられる。
【００８８】
アニオン系界面活性剤としては、例えば、高級脂肪酸塩、石けん、α−スルホ脂肪酸メチルエステル塩、アルキルベンゼンスルホン酸塩、アルキル硫酸エステル塩、アルキルエーテル硫酸エステル塩、モノアルキルリン酸エステル塩、α−オレフィンスルホン酸塩、アルキルナフタレンスルホン酸塩、ナフタレンスルホン酸塩、アルカンスルホン酸塩、ポリオキシエチレンアルキルエーテル硫酸塩、スルホコハク酸塩、ポリオキシアルキレングリコールアルキルエーテルリン酸エステル塩などが挙げられる。
【００８９】
カチオン性界面活性剤としては、例えば、アルキルトリメチルアンモニウム塩、ジアルキルジメチルアンモニウム塩、アルキルジメチルベンジルアンモニウム塩などの第４級アンモニウム塩化合物、Ｎ−メチルビスヒドロキシエチルアミン脂肪酸エステル塩酸塩などのアミン塩化合物が挙げられる。
【００９０】
両性界面活性剤としては、特に限定されないが、アルキルアミノ脂肪酸塩などのアミノ酸化合物が挙げられる。
【００９１】
上述した界面活性剤は、１種単独で用いてもよく、２種以上を併用してもよい。
【００９２】
（その他の成分）
インクには、その他の成分として、ｐＨ調整剤、防腐剤、防かび剤、酸化防止剤、キレート剤、定着剤（樹脂微粒子）などの種々の添加剤を添加してもよい。
【００９３】
［インクの調製］
本実施形態のインクは、上述した成分を任意の順序で混合し、必要に応じて濾過などを実施して不純物や異物などを除去することで調製する事が出来る。各成分の混合方法としては、メカニカルスターラー、マグネットスターラーなどの撹拌装置を備えた容器に、材料を順序添加して撹拌、混合する方法が用いられる。濾過の方法としては、遠心濾過、フィルター濾過などがある。
【００９４】
［インクの物性］
インクの２５℃における表面張力は、１０ｍＮ／ｍ以上、４０ｍＮ／ｍ以下であることが好ましい。より好ましくは、２０ｍＮ／ｍ以上、４０ｍＮ／ｍ以下であり、さらに好ましくは、２０ｍＮ／ｍ以上、３５ｍＮ／ｍ以下である。２５℃における表面張力を、上記の範囲とすることにより、印刷を行う際に、吐出ノズルからのインクの吐出安定性が向上する。また、印捺物に高精細な画像などを形成することができる。なお、インクの表面張力は、例えば、自動表面張力計ＣＢＶＰ−Ｚ（協和界面科学社）を用いて、２５℃の環境下にて、白金プレートの一部をインクに浸漬させて測定することが可能である。
【００９５】
表面張力と同様な観点から、インクの２０℃における粘度は、２ｍＰａ・ｓ（ミリパスカル秒）以上、１５ｍＰａ・ｓ以下であることが好ましい。より好ましくは、２ｍＰａ・ｓ以上、１０ｍＰａ・ｓ以下であり、さらに好ましくは、３ｍＰａ・ｓ以上、６ｍＰａ・ｓ以下である。なお、インクの粘度は、例えば、粘弾性試験機ＭＣＲ−３００（Ｐｙｓｉｃａ社）を用いて測定することが可能である。具体的には、インクの温度を２０℃に調整し、Ｓｈｅａｒ  Ｒａｔｅを１０から１０００に上げ、Ｓｈｅａｒ  Ｒａｔｅが２００のときの粘度を読み取ることにより測定される。
【００９６】
［インクジェット記録装置］
インクジェット記録装置について、図１を参照して説明する。インクジェット記録装置は、インクの液滴を吐出するインクジェット法によって、記録媒体などに液滴を着弾させて印刷を行う装置である。図１は、インクジェット記録装置の一例を示す概略斜視図である。本実施形態では、インクジェット記録装置として、インクカートリッジがキャリッジに搭載されたオンキャリッジタイプのプリンターを例に挙げて説明する。なお、図１においては、各部材を認識可能な程度の大きさとするため、各部材の尺度を実際とは異ならせしめている。
【００９７】
図１に示すプリンター１は、いわゆるシリアルプリンターと呼ばれているものである。シリアルプリンターとは、所定の方向に移動するキャリッジにインクジェットヘッドが搭載されており、キャリッジの移動に伴ってインクジェットヘッドが移動しながら印刷を行うプリンターをいう。
【００９８】
プリンター１は、図１に示すように、インクジェットヘッド３、キャリッジ４、主走査機構５、プラテンローラー６、プリンター１全体の動作を制御する制御部（図示せず）を有している。キャリッジ４は、インクジェットヘッド３を搭載すると共に、インクジェットヘッド３に供給されるインクを収納するインクカートリッジ７ａ，７ｂ，７ｃ，７ｄ，７ｅ，７ｆが着脱可能である。
【００９９】
主走査機構５は、キャリッジ４に接続されたタイミングベルト８、タイミングベルト８を駆動するモーター９、ガイド軸１０を有している。ガイド軸１０は、キャリッジ４の支持部材として、キャリッジ４の走査方向（主走査方向）に架設されている。キャリッジ４は、タイミングベルト８を介してモーター９によって駆動され、ガイド軸１０に沿って往復移動が可能である。これにより、主走査機構５は、キャリッジ４を主走査方向に往復移動させる機能を有している。
【０１００】
プラテンローラー６は、印刷を行う記録媒体２を、上記主走査方向と直交する副走査方向（記録媒体２の長さ方向）に、搬送する機能を有している。そのため、記録媒体２は副走査方向に搬送される。また、インクジェットヘッド３が搭載されるキャリッジ４は、記録媒体２の幅方向と略一致する主走査方向に往復移動が可能であり、インクジェットヘッド３は記録媒体２に対して、主走査方向および副走査方向へ、相対的に走査が可能となっている。
【０１０１】
インクカートリッジ７ａ，７ｂ，７ｃ，７ｄ，７ｅ，７ｆは、独立した６つのインクカートリッジである。インクカートリッジ７ａ，７ｂ，７ｃ，７ｄ，７ｅ，７ｆには、ブラックインク、シアンインク、マゼンタインク、イエローインクの基本色インク、本実施形態の二次色インクを複数種収納することができる。これらのインクは、インクカートリッジ７ａからインクカートリッジ７ｆに個別に収納され、任意に組み合わせて用いることが可能である。図１では、インクカートリッジの数を６個としているが、これに限定されるものではない。インクカートリッジ７ａ，７ｂ，７ｃ，７ｄ，７ｅ，７ｆの底部には、各インクカートリッジに収納されたインクをインクジェットヘッド３へ供給するための供給口（図示せず）が設けられている。
【０１０２】
インクジェットヘッド３は、記録媒体２と対向する面にノズル面（図示せず）を有している。ノズル面には、複数の吐出ノズル（図示せず）からなるノズル列（図示せず）が各色インクに対応して個別に配置されている。各色インクは、各インクカートリッジからインクジェットヘッド３に供給され、インクジェットヘッド３内のアクチュエーター（図示せず）によって、吐出ノズルから液滴として吐出される。吐出されたインクの液滴は記録媒体２に着弾し、画像、テキスト、模様、色彩などが記録媒体２に形成される。
【０１０３】
ここで、インクジェットヘッド３では、アクチュエーター（駆動手段）として圧電素子を用いているが、この方式に限定されない。例えば、アクチュエーターとしての振動板を静電吸着により変位させる電気機械変換素子や、加熱によって生じる気泡によってインクを液滴として吐出させる電気熱変換素子を用いてもよい。
【０１０４】
なお、本実施形態では、インクジェット記録装置としてオンキャリッジタイプのプリンター１を例に挙げたが、これに限定されない。例えば、インクカートリッジなどのインク収納容器が、キャリッジに搭載されない、オフキャリッジタイプのプリンターであってもよい。また、インクジェット記録装置は、上述したシリアルプリンターに限定されるものではなく、インクジェットヘッドが記録媒体２の幅と同等以上に広く形成され、インクジェットヘッドが移動せずに印刷を行うラインヘッドプリンターであってもよい。
【０１０５】
記録媒体２は、印刷物の用途や印刷に用いるインクの種類に応じて適宜選択される。本実施形態のように水系インクを用いる場合の記録媒体２としては、例えば、水系インクの浸透性が高い電子写真用紙などの普通紙、インクジェット用紙（インクジェット専用紙）、アート紙、コート紙、キャスト紙などの紙類、天然繊維や化学繊維を用いた布帛などが挙げられる。本実施形態のインクは、水系の染料インクであることから、上述した記録媒体２の中でも、普通紙、インクジェット用紙（インクジェット専用紙）などに好適に用いることができる。
【０１０６】
［インクジェット記録方法］
次に、プリンター１およびインクを用いた、インクジェット記録方法について説明する。
【０１０７】
本実施形態のインクジェット記録方法は、インクを、記録媒体２へ付着させる工程を備えている。該工程では、プリンター１のインクジェットヘッド３から、記録媒体２に対してインク滴（インクの液滴）を吐出させる。このとき、インク滴を、所定のタイミングで間欠的に、かつ所定の質量で吐出させることにより、記録媒体２にインク滴を着弾、付着させ、所望の画像、文字、模様、色彩などのデザインが印刷される。これによって、印刷物が作製される。
【０１０８】
以上に述べたように、本実施形態の二次色インクによれば、以下の効果を得ることができる。
【０１０９】
従来よりも印刷物の色再現性および発色性が向上し、吐出ノズルでの目詰まりが発生しにくい二次色のインクを提供することが出来る。
【０１１０】
マゼンタ染料（１−１）の発色性が高いため、従来よりも低い含有量で発色性を確保でき、インクジェットヘッド３（吐出ノズル）において目詰まりが発生しにくいインクを提供することができる。また、マゼンタ染料（１−１）を用いることにより、印刷物における、耐オゾン性、耐湿性などを向上させることができる。
【０１１１】
マゼンタ染料（１−１）と、一般式（２−１）、一般式（２−２）で表されるイエロー染料などとを併用すると、イエロー領域の色域が拡大されて、色再現性を向上させることができる。
【０１１２】
マゼンタ染料（１−１）と、一般式（３−１）、一般式（３−２）で表されるシアン染料などとを併用すると、シアン領域の色域が拡大されて、色再現性を向上させることができる。
【０１１３】
基本骨格で対称構造を持つ染料を２つ以上混合することによって、染料分子同士が相互作用を持ち、染料分子間での隙間が減少し、会合性が向上する。この会合性の高いインクは、会合性の低い染料を使用したインク組成物と比較して、オゾン分子が介入しにくい。そのため、オゾン分子による染料分子の分解が抑制されて、印刷物の耐オゾン性能を向上させたインクを提供することができる。
【０１１４】
以下、本発明を実施例に基づいてさらに具体的に説明するが、本発明はこれらの実施例に限定されるものではない。なお、以降の評価は、特にことわりが無い場合は、温度２５℃、相対湿度４０％の環境下で行った。
【０１１５】
［インク組成物の調製］
実施例および比較例のインクの組成を表１に示す。インクは、表１に記載の成分を任意の順序で混合し、３０分以上混合し、必要に応じて濾過などを実施して不純物や異物などを除去することで調製することができる。各成分の混合方法としては、メカニカルスターラー、マグネティックスターラーなどの撹拌装置を備えた容器に、材料を順次添加して撹拌、混合する方法が用いられる。濾過の方法としては、遠心濾過、フィルター濾過などが採用できる。なお、表１における数値の単位は、「質量％」である。
【０１１６】
有機溶剤として、グリセリン、およびトリエチレングリコールモノブチルエーテル（表１中では、略称「ＴＥＧｍＢＥ」にて表記した。）を用いた。界面活性剤として、共にノニオン系（アセチレングリコール系）界面活性剤の、オルフィン（登録商標）Ｅ１０１０（商品名、日信化学工業社）、およびサーフィノール（登録商標）１０４ＰＧ−５０（商品名、Air Products and Chemicals, Inc.社）（表中では、「１０４ＰＧ５０」と表記した。）を用いた。イオン交換水は、実施例および比較例の各インクの全質量が１００．０質量％となるように、調整して添加した。
【０１１７】
ここで、実施例および比較例のインクには、以下に述べる染料を用いた。マゼンタ染料（１−１）として、下記一般式（ａ）で表されるマゼンタ染料（ａ）、マゼンタ染料（１−２）として、下記一般式（ｂ）で表されるマゼンタ染料（ｂ）、マゼンタ染料（１−３）として、下記一般式（ｃ）で表されるマゼンタ染料（ｃ）を用いた。
【０１１８】
また、イエロー染料（２−１）として、下記一般式（ｄ）で表されるイエロー染料（ｄ）、イエロー染料（２−２）として、下記一般式（ｅ）で表されるイエロー染料（ｅ）を用いた。
【０１１９】
また、シアン染料（３−１）として、下記一般式（ｆ）で表されるシアン染料（ｆ）、シアン染料（３−２）として、下記一般式（ｇ）で表されるシアン染料（ｇ）を用いた。
【０１２０】
ここで、マゼンタ染料（ｂ）、マゼンタ染料（ｃ）について説明する。基本骨格に対称構造を持たないマゼンタ染料（１−２）と、染料基本骨格が対称構造を持ち、かつ最大吸収波長を５００ｎｍから５６０ｎｍまでの範囲以外に持つイエロー染料、シアン染料のうち１種以上と、を混合して二次色インク組成物を調合する。また、マゼンタ染料（１−３）は基本骨格が対称構造だが、アントラピリジン骨格を持ち、発色性が低い。このマゼンタ染料（１−３）と、染料基本骨格が対称構造を持ち、かつ最大吸収波長を５００ｎｍから５６０ｎｍまでの範囲以外に持つイエロー染料、シアン染料のうち１種以上と、を混合して二次色インク組成物を調合する。
【０１２１】
【化１１】
2019081852.tif 000012
【０１２２】
【化１２】
2019081852.tif 000013
【０１２３】
【化１３】
2019081852.tif 000014
【０１２４】
【化１４】
2019081852.tif 000015
【０１２５】
【化１５】
2019081852.tif 000016
【０１２６】
【化１６】
2019081852.tif 000017
【０１２７】
【化１７】
2019081852.tif 000018
（一般式（ｇ）において、破線で表される環Ａ1，Ａ2，Ａ3は、それぞれ独立にポルフィラジン環に縮環したベンゼン環または６員環の含窒素複素芳香環であり、含窒素複素芳香環の個数は、平均値で０．００を超えて３．００以下であり、残りはベンゼン環である。ｂは平均値で０．００以上、３．９０未満であり、ｃは平均値で０．１０以上、４．００未満であり、かつｂおよびｃの和は、平均値で１．００以上、４．００未満である。）
【０１２８】
【表１】
2019081852.tif 000019
【０１２９】
［色再現性の評価試験］
色再現性の指標として、各インク組成物（実施例１〜８、および比較例１〜５）の、ｃ＊値を評価した。具体的には、まず、各インクの水による希釈溶液を作成して、分光特性を測定した。分光特性の測定には、紫外可視近赤外分光光度計Ｖ−７７０（日本分光社）を用いた。測定に際しては、イオン交換水などの水を用いて、質量比１０００倍に溶解、希釈し、該化合物の希釈水溶液を調整し、これを光路長１ｃｍの石英セルに充填し、透過モードにて測定を行った。インク組成物のＬ＊ａ＊ｂ＊値は、測定された分光特性から、分光光度計付属の色彩分析プログラムを用いて求めた。ｃ＊値を上記のように算出し、以下の基準にて判定し、評価結果を表２に記載した。
評価Ａ：Ｌ＊ａ＊ｂ＊表色系のｃ＊値が３０以上。
評価Ｂ：Ｌ＊ａ＊ｂ＊表色系のｃ＊値が２０以上３０未満。
評価Ｃ：Ｌ＊ａ＊ｂ＊表色系のｃ＊値が２０未満。
【０１３０】
［評価用の印刷物の作製］
実施例および比較例のインクをそれぞれ充填したインクカートリッジを、インクジェットプリンターＥＰ−１０ＶＡ（商品名、セイコーエプソン株式会社製）に装着した。次に、色補正なしモードで、画像解像度６００ｄｐｉ（Dots Per inch）の印刷条件にて、写真用紙（インクジェット専用紙：セイコーエプソン株式会社製）にベタ印刷した。この印刷物を３時間乾燥させた後、評価用の印刷物とした。
【０１３１】
［発色性評価］
発色性の指標として、各インクを用いた印刷物の、ＯＤ（Ｏｐｔｉｃａｌ  Ｄｅｎｓｉｔｙ）値を評価した。測色器ｉ１（商品名、Ｘ−Ｒｉｔｅ社）を用い、光源フィルター無し、光源Ｄ５０、視野角２度の測定条件にて、各インクをベタ印刷した領域のＯＤ値を測定した。また、以下の基準に従って該数値を評価し、その結果を、表２に記載した。
評価Ａ：ＯＤ値が、１．９０以上。
評価Ｂ：ＯＤ値が、１．７０以上、１．９０未満。
評価Ｃ：ＯＤ値が、１．７０未満。
【０１３２】
［耐オゾン性評価］
耐オゾン性の指標として、オゾン含有雰囲気下に印刷物を暴露して、ＯＤ値の変化を測定した。具体的には、上記発色性の評価に用いた初期のＯＤ値が既知の印刷物を、２３℃、相対湿度５０％、オゾン濃度５ｐｐｍの雰囲気下に暴露した。一定時間ごとに印刷物を取り出し、発色性の評価と同様にしてＯＤを測定した後、再び暴露することを繰り返して、ＯＤ値の減少の傾向を調査した。そのデータを、オゾン含有雰囲気下への暴露合計時間（以降、単に「暴露時間」ともいう。）とＲＯＤとについて、以下の基準に従って評価し、その結果を耐オゾン性評価として表２に記載した。
評価Ａ：暴露時間８０時間経過時までにＲＯＤが７０％まで減少しない。
評価Ｂ：ＲＯＤが７０％まで減少するのが、暴露時間６４時間以上、８０時間未満。
評価Ｃ：ＲＯＤが７０％まで減少するのが、暴露時間６４時間未満。
【０１３３】
［耐湿性評価］
上記印刷方法にて文字（該インクで印字された文字、および、該インクで囲まれた白抜き文字）を含むパターンを印刷した。得られた印刷物を温度４０℃、相対湿度８５％に設定した恒温槽に７日間放置し、上記パターンにおける滲みの傾向を目視にて調査した。そのデータを、以下の基準に従って評価し、その結果を耐湿性評価として表２に記載した。
評価Ａ：パターンにおける滲みがほとんど観察されない。
評価Ｂ：パターンにおける滲みが観察され、文字の輪郭が崩れている。
評価Ｃ：パターンにおける滲みが観察され、文字太り、および白抜き文字の全体が着色されている。
【０１３４】
［目詰まり回復性評価］
吐出ノズルにおける目詰まり回復性を評価した。具体的には、各インクを充填したインクカートリッジを、インクジェットプリンターＥＰ−１０ＶＡ（商品名、セイコーエプソン株式会社製）に装着した。次いで、ヘッドクリーニングを実施したのち、ノズルチェックパターンを印刷して、全ての吐出ノズルが正常に吐出していることを確認した。このインクジェットプリンターを温度４０℃、相対湿度２５％の恒温槽に３５日間放置した。上記の放置後、ノズルチェックパターンを印刷して吐出の状態を観察した。不吐出ノズルや、ドットのヨレ、細り、太りなどの吐出不良が発生していた場合は、ヘッドクリーニングを行って、全ての吐出ノズルが正常に吐出するまでヘッドクリーニングを繰り返した。全ての吐出ノズルが回復するのに要したヘッドクリーニングの回数を記録した。そのデータを、以下の基準に従って評価し、その結果を目詰まり回復性として表２に記載した。
評価Ａ：吐出不良が発生しない、またはヘッドクリーニング回数が１回である。
評価Ｂ：ヘッドクリーニング回数が２回以上、５回以下である。
評価Ｃ：ヘッドクリーニング回数が６回以上である。
【０１３５】
【表２】
2019081852.tif 000020
【０１３６】
表２に示したように、色再現性評価では、実施例２、実施例５、実施例７、実施例８が「適」レベルに相当するＢ評価となり、その他の実施例が「好適」レベルに相当するＡ評価となった。これにより、全ての実施例において、色再現性が向上することが示された。
【０１３７】
発色性評価では、実施例２、実施例５、実施例６が「適」レベルに相当するＢ評価となり、その他の実施例が「好適」レベルに相当するＡ評価となった。これにより、全ての実施例において、発色性が向上することが示された。
【０１３８】
耐オゾン性評価では、実施例２が「適」レベルに相当するＢ評価となり、その他の実施例が「好適」レベルに相当するＡ評価となった。これにより、全ての実施例において、印刷物の耐オゾン性が向上することが示された。
【０１３９】
耐湿性評価では、実施例５、実施例６が「適」レベルに相当するＢ評価となり、その他の実施例が「好適」レベルに相当するＡ評価となった。これにより、全ての実施例において、印刷物の耐湿性が向上することが示された。
【０１４０】
目詰まり回復性評価では、実施例３、実施例４が「適」レベルに相当するＢ評価となり、その他の実施例が「好適」レベルに相当するＡ評価となった。これにより、全ての実施例において、目詰まり回復性が向上することが示された。
【０１４１】
一方、比較例２、比較例４、比較例５では、対象構造を持つが発色性の低いマゼンタ染料（１−３）を使用しているため、色再現性評価、および印刷物の発色性評価が「不適」レベルに相当するＣ評価となり、色再現性、および印刷物の発色性を確保しにくいことが分かった。
【０１４２】
また、比較例３では、マゼンタ染料（１−３）の含有量を６．００質量％としたため、発色性がＢ評価となった。しかし、これは発色性を確保できる固形分濃度（染料の含有量）のインク組成であり、目詰まり回復性評価が、「不適」レベルに相当するＣ評価となった。これにより、目詰まり回復性を確保しにくいことが分かった。
【０１４３】
比較例１では、対象構造を持たないマゼンタ染料（１−２）を使用しているため、耐オゾン性評価が「不適」レベルに相当するＣ評価となり、耐オゾン性を確保しにくいことが分かった。
【符号の説明】
【０１４４】
１…プリンター、２…記録媒体、３…インクジェットヘッド、４…キャリッジ、５…主走査機構、６…プラテンローラー、７ａ，７ｂ，７ｃ，７ｄ，７ｅ，７ｆ…インクカートリッジ、８…タイミングベルト、９…モーター、１０…ガイド軸。
【図１】
2019081852.tif 000026